【事件の表示】
　特願２００７−２００３０６「多重化信号調整器」拒絶査定不服審判事件〔平成２０年　４月１７日出願公開、特開２００８−　９０８２２〕について、次のとおり審決する。
【結　論】
　本件審判の請求は、成り立たない。
【理　由】
１．手続の経緯
　本願は、平成１９年８月１日（パリ条約による優先権主張２００６年８月１日、米国）の出願であって、平成２２年４月２３日付けで拒絶理由通知がなされ、同年９月２７日付けで手続補正がなされたが、同年１１月１５日付けで拒絶査定がなされ、これに対し、平成２３年３月２３日に拒絶査定不服審判の請求がなされるとともに、同日付けで手続補正がなされたものである。
　
２．平成２３年３月２３日付けの手続補正についての補正却下の決定
［補正却下の決定の結論］
　平成２３年３月２３日付けの手続補正を却下する。
　
［理由］
（１）補正後の請求項８に係る発明
　平成２３年３月２３日付けの手続補正（以下、「本件手続補正」という。）は、当該補正前の平成２２年９月２７日付け手続補正書の特許請求の範囲の請求項１０を、以下のように、補正後の特許請求の範囲の請求項８に変更する補正を含むものである。
　
＜補正前の請求項１０の記載＞
「　【請求項１０】
　（ａ）サンプル周波数で複数のＡＣ入力信号をサンプリングするＡ／Ｄ変換器を提供するステップと、
　（ｂ）前記複数のＡＣ入力信号を、サンプル周波数でサンプリングし、前記Ａ／Ｄ変換器用に前記複数のＡＣ入力信号を保持する、サンプラーを提供するステップと、
　（ｃ）前記複数のＡＣ入力信号間で前記サンプラーおよび前記Ａ／Ｄ変換器を時分割するステップと、
　（ｄ）前記複数のＡＣ入力信号の各々を、前記サンプラーを用いて、前記ＡＣ入力信号の周波数の整数倍として前記ＡＣ入力信号の周波数と同期するサンプル周波数で前記ＡＣ入力信号の１周期内に繰り返して交互にサンプリングするステップと、
　（ｅ）前記サンプリングされたＡＣ入力信号の各々を、前記サンプラーを用いて、前記サンプル周波数ごとに保持するステップと、
　（ｆ）前記保持されたＡＣ入力信号の各々を、前記Ａ／Ｄ変換器を用いて、デジタル信号に変換するステップと、
　（ｇ）前記複数のＡＣ入力信号の各々からの前記デジタル信号を分析するステップと、
　を含む複数のＡＣ入力信号をモニターする方法。」
　
＜補正後の請求項８の記載＞
「　【請求項８】
　（ａ）サンプル周波数で複数のＡＣ入力信号をサンプリングするＡ／Ｄ変換器を提供するステップと、
　（ｂ）前記複数のＡＣ入力信号を、サンプル周波数でサンプリングし、前記Ａ／Ｄ変換器用に前記複数のＡＣ入力信号を保持する、サンプラーを提供するステップと、
　（ｃ）前記複数のＡＣ入力信号間で前記サンプラーおよび前記Ａ／Ｄ変換器を時分割するステップと、
　（ｄ）前記複数のＡＣ入力信号の各々を、前記サンプラーを用いて、前記ＡＣ入力信号の周波数の整数倍として前記ＡＣ入力信号の周波数と同期するサンプル周波数で前記ＡＣ入力信号の１周期内に繰り返して交互にサンプリングするステップと、
　（ｅ）前記サンプリングされたＡＣ入力信号の各々を、前記サンプラーを用いて、前記サンプル周波数ごとに保持するステップと、
　（ｆ）前記保持されたＡＣ入力信号の各々を、前記Ａ／Ｄ変換器を用いて、デジタル信号に変換するステップと、
　（ｇ）前記複数のＡＣ入力信号の各々からの前記デジタル信号を分析するステップと、
　を含
み、
　　前記複数のＡＣ入力信号のうちの２つの間でアンチエイリアシングフィルタを時分割するステップをさらに含
　
　そして、上記補正は、「複数のＡＣ入力信号をモニターする方法」に関して、「
複数のＡＣ入力信号のうちの２つの間でアンチエイリアシングフィルタを時分割するステップをさらに含
　そこで、本件手続補正後の上記請求項８に係る発明（以下、「本願補正発明」という。）が特許出願の際独立して特許を受けることができるものであるか（平成２３年法律第６３号改正附則第２条第１８項によりなお従前の例によるとされる同法による改正前の特許法第１７条の２第６項において準用する同法第１２６条第５項の規定に適合するか）について、以下に検討する。
　
（２）引用例
　原査定の拒絶の理由に引用された特開２０００−３７０３１号公報（以下、「引用例１」という。）、特開平５−６８３２１号公報（以下、「引用例２」という。）、特開平６−３３８７９８号公報（以下、「引用例３」という。）には、それぞれ、図面とともに次の事項が記載されている。
　
（引用例１）
Ａ．「【０００１】
【発明の属する技術分野】本発明は、ディジタル形保護継電装置に係り、特にアナログ入力回路へのリレー入力信号の基本周波数よりも高い周波数の監視信号を重畳しておき、アナログ入力回路の出力に現れる監視信号の実効値からアナログ入力回路の正常／異常を監視する監視装置に関する。
【０００２】
【従来の技術】この種の監視方式を施したディジタル形保護継電装置のアナログ入力回路を図３に示す。
【０００３】アナログ入力回路１は、保護対象系統の電圧や電流の検出信号になるリレー入力信号をアナログフィルタ２を通すことでノイズなどの高調波成分を除去し、サンプル・ホールド回路３によって一定時間だけホールドする。これらアナログフィルタ２及びサンプル・ホールド回路３は、リレー入力別に設けられ、マルチプレクサ４では各リレー入力のホールド信号を時分割で取り込み、この出力列をＡ／Ｄ変換器５によって順次ディジタル信号に変換する。
【０００４】保護演算部１１は、マイクロプロセッサを中枢部としてリレー入力信号を使った保護演算を行い、その入力段にディジタルフィルタ１２を設けてリレー入力信号の基本周波数ｆ1成分のみを抽出し、この信号を保護演算のための入力データにする。」
　
　上記Ａの記載及び図３を参照すると、引用例１には、次の発明（以下、「引用例１記載の発明」という。）が記載されているものと認められる。
「アナログ入力回路１は、保護対象系統の電圧や電流の検出信号になるリレー入力信号をアナログフィルタ２を通すことでノイズなどの高調波成分を除去し、サンプル・ホールド回路３によって一定時間だけホールドし、これらアナログフィルタ２及びサンプル・ホールド回路３は、リレー入力別に設けられ、マルチプレクサ４では各リレー入力のホールド信号を時分割で取り込み、この出力列をＡ／Ｄ変換器５によって順次ディジタル信号に変換し、保護演算部１１は、マイクロプロセッサを中枢部としてリレー入力信号を使った保護演算を行い、その入力段にディジタルフィルタ１２を設けてリレー入力信号の基本周波数ｆ1成分のみを抽出し、この信号を保護演算のための入力データにするディジタル形保護継電装置。」
　
（引用例２）
Ｂ．「【００１３】
【課題を解決するための手段】この発明に係るディジタル保護継電器の自動監視装置は、系統入力と異なる周波数の監視用信号を任意の周期で出力する監視用信号回路と、前記系統入力と前記監視用信号を重畳する重畳回路と、この重畳回路の出力するアナログ信号をディジタル信号に変換するＡ／Ｄ変換器と、このＡ／Ｄ変換器の出力から監視用信号に関連するデータのみを抽出するディジタルフィルタと、このディジタルフィルタの出力の大きさを監視する監視部とからなる。
【００１４】
【作用】この発明におけるディジタル保護継電器の自動監視装置はディジタルフィルタの抽出出力により、系統保護動作を実施しつつ、保護継電器のアナログ入力回路の不良を監視することができる。
【００１５】
【実施例】以下、この発明の一実施例を図について説明する。まず図１において、９Ａはディジタル演算処理部９内に設けられ、リセット信号３２をＯＮ，ＯＦＦ制御するリセット信号手段である。また監視用信号回路２３は上記リセット信号３２で制御され、任意の周期で監視用信号Ｅref を出力する。この監視用信号Ｅref は、入力トランス２２によって絶縁およびレベル変換された系統からのＰＴ，ＣＴ入力２１（略してＰＣＴ入力と呼称する）とともにフィルタ２４に入力されている。
【００１６】ここで、ＰＴ、ＣＴ入力２１ＩS は前記図６，図７で説明した送電線路１のＰＴ３，ＣＴ２から入力される入力信号であり、以下、略してＰＣＴ入力２１ＩS として説明する。フィルタ２４はＰＣＴ入力２１に監視用信号Ｅref を重畳させＰＣＴ入力２１ＩS と監視用信号Ｅref が各々加算された値が出力側の信号として得られるように動作する。
【００１７】入力トランス２２の出力は、出力側に設けられた抵抗器により電流信号から電圧信号に変換された後、フィルタ２４を介してサンプルホールド（略してＳＨと呼称する）２５により、予め定められた任意の一定周期で一定時間保持される。次にマルチプレクサ（略してＭＰＸと呼称する）２６で前記のサンプルホールド２５で保持した電圧信号を順次切換えて、Ａ／Ｄ変換器１２に導く。前記のＡ／Ｄ変換器１２によりディジタル量に変換された入力データは、ディジタル演算処理部９により演算処理される。３１は不良検出した結果を知らせる警報出力である。」
　
Ｃ．「【００２８】次に、図１において本発明の動作説明に入る前に、ディジタル保護リレーの系統事故を検出するための基本的な入力信号処理について説明する。
【００２９】まず、電力系統の故障を検出するため、ＰＴ，ＣＴから電圧電流信号ＰＣＴ入力２１ＩS を取込み、ディジタル演算処理部９で処理可能な形態にまで信号変換処理を行う。入力トランス２２は電力系統の電圧，電流値が最大となる時、それらの信号をＡ／Ｄ変換器１２のフルスケールに適した値にレベル変換する。この入力トランス２２の２次の電圧レベルがアナログのフィルタ２４に入力される。
【００３０】そしてディジタルリレーでは種々のリレー特性から要求される総合的フィルタ特性をディジタル処理とアナログ処理の組合わせで実現している。フィルタ２４は折り返し周波数以上の高周波成分の除去を主目的としている。さらに、ディジタルリレーでは、リレー特性上必要な周波数帯域を考慮し、フィルタ２４では折り返し周波数より高い周波数成分は完全に無視できる程度まで減衰させ、フィルタ２４を通過した後での入力信号をＳＨ２５でサンプリングし、ディジタル値に変換し処理する。
【００３１】サンプリング周波数は、サンプリング定理等をふまえ、かつＣＰＵの演算処理能力およびリレー演算アルゴリズムのデータ処理の簡便さから、通常系統周波数の電気角３０°、すなわち６００Ｈｚ（５０Ｈｚ系），７２０Ｈｚ（６０Ｈｚ系）に選ばれている。
【００３２】次にサンプルホールド２５は、リレー演算アルゴリズム上から同時刻のサンプリングデータが必要であるため図１に示したように全入力チャンネルにサンプルホールド２５が設けられ、時々刻々変化する入力信号をＡ／Ｄ変換が終了するまで保持する。このようにして電力系統の入力信号を処理し、ディジタル演算処理部９でリレー演算を行う。」
　
　上記Ｂ，Ｃの記載及び関連する図面を参照すると、引用例２には、次の技術が記載されているものと認められる。（以下、「引用例２記載の技術」という。）
「電力系統の故障を検出するため、ＰＴ，ＣＴから電圧電流信号ＰＣＴ入力２１ＩS を取込み、ディジタル演算処理部９で処理可能な形態にまで信号変換処理を行うディジタル保護継電器において、入力トランス２２は電力系統の電圧，電流値が最大となる時、それらの信号をＡ／Ｄ変換器１２のフルスケールに適した値にレベル変換し、この入力トランス２２の２次の電圧レベルがアナログのフィルタ２４に入力され、フィルタ２４は折り返し周波数以上の高周波成分の除去を主目的としており、ディジタルリレーでは、リレー特性上必要な周波数帯域を考慮し、フィルタ２４では折り返し周波数より高い周波数成分は完全に無視できる程度まで減衰させ、フィルタ２４を通過した後での入力信号をＳＨ２５でサンプリングし、ディジタル値に変換し処理し、サンプリング周波数は、サンプリング定理等をふまえ、かつＣＰＵの演算処理能力およびリレー演算アルゴリズムのデータ処理の簡便さから、通常系統周波数の電気角３０°、すなわち６００Ｈｚ（５０Ｈｚ系），７２０Ｈｚ（６０Ｈｚ系）に選ばれており、電力系統の入力信号を処理し、ディジタル演算処理部９でリレー演算を行うこと。」
　
（引用例３）
Ｄ．「【００２０】第２図（当審注：「第１図」あるいは「図１」の誤記と認められる。）は、複数の入力電圧信号Ｖｉｎを順次サンプリング・瀘波する、フィルタ回路２０を応用した本発明による回路３０を示す。回路３０は、一組のバッファ増幅器３２を有する。各バッファ増幅器３２は、個々の入力信号Ｖｉを受け、緩衝された出力信号をマルチプレクサ（ＭＵＸ）３４の個々の入力端に供給する。選択された１入力であるマルチプレクサ３４の出力は、第１図のフィルタ回路と同様のフィルタ回路２０に入力電圧Ｖｉとして入力される。フィルタ回路２０の出力Ｖｏはサンプルホールド（Ｓ／Ｈ）回路３６に入力される。典型的な例では、Ｓ／Ｈ回路３６に保持されたラッチ出力Ｖｏ´は、これをデジタル信号に変換する手段及びこの変換出力を記憶する手段を有するＡＤＣ／記憶装置４０に入力される。
【００２１】制御回路３８は、マルチプレクサ３４の切り替え制御入力信号、フィルタ回路２０のＡ、Ｂ制御入力信号、Ｓ／Ｈ回路３６のサンプリング制御入力信号及びＡＤＣ４０の入力イネーブル制御信号を、クロック信号Ｖｃ及び全域通過モード制御信号Ｖｓに同期して発生する。動作を説明すれば、制御回路３８は、各入力クロック信号Ｖｃのパルスの後縁でマルチプレクサ３４の状態を切り替え、マルチプレクサ３４が各入力信号を順番に走査してフィルタ回路２０へ順次各入力信号（チャンネル）を入力するようになす。
　・・・（中略）・・・
【００２２】Ｓ／Ｈ回路３６は、そのクロック入力の負方向パルス縁でフィルタ回路２０の出力電圧Ｖｏをサンプリングし、その出力Ｖｏ´として保持する。このようなＳ／Ｈ回路は当該分野で周知であるので詳述はしない。制御回路３８は、フィルタ回路２０が入力信号変化に対して応答変化するに足る時間だけクロックパルスＶｃを遅延させ、この遅延クロックパルスを用いてＳ／Ｈ回路３６をクロック駆動する。制御回路３８は、Ｓ／Ｈ回路３６がＶｏ信号を確実にサンプリングするに足る時間だけ更にクロックパルスＶｃを遅延させ、この遅延クロックパルスをＡＤＣ４０のイネーブル入力端ＥＮに印加する。この遅延クロックパルスの各負方向縁でＡＤＣ４０がイネーブルされ、その時点の入力信号Ｖｏ´がサンプリング・変換・記憶される。
【００２３】
　・・・（中略）・・・
【００２４】フィルタ回路２０は、Ａ入力が低、Ｂ入力が高のとき、全域通過モードになる。制御信号Ｖｓが高のとき、制御回路３８はクロック入力信号の状態に無関係にＡ端子を低、Ｂ端子を高に保持することにより、フィルタ回路２０を全域通過モードに維持する。全域通過モードは、入力信号Ｖｉが高周波信号であり、フィルタ回路２０の低域通過瀘波動作が望ましくない場合、且つフィルタ回路２０の高入力インピーダンスを維持する必要がある場合に利用することができる。入力信号Ｖｉの周波数がフィルタ回路２０の遮断周波数より高いときに全域通過制御信号Ｖｓを高にし、入力信号Ｖｉの周波数がフィルタ回路２０の遮断周波数より低のときＶｓを低にすることにより、マルチプレクサ３４がチャンネル間を走査している間に必要に応じて低周波入力信号中の高周波雑音を阻止したり、高周波入力信号を通過させたりするためにフィルタ動作をオンオフさせることができる。即ち、回路３０は、全域通過信号Ｖｓを適切に制御することにより、高周波入力信号及び低周波入力信号の両方の入り混ざった複数の入力信号の組を同時に走査して選択的に低域瀘波することができる。」
　
　上記Ｄの記載及び図１を参照すると、引用例３には、次の技術が記載されているものと認められる。（以下、「引用例３記載の技術」という。）
「複数の入力電圧信号Ｖｉｎを順次サンプリング・瀘波する、フィルタ回路２０を応用し、フィルタ回路２０の出力Ｖｏはサンプルホールド（Ｓ／Ｈ）回路３６に入力され、Ｓ／Ｈ回路３６に保持されたラッチ出力Ｖｏ´は、これをデジタル信号に変換する手段及びこの変換出力を記憶する手段を有するＡＤＣ／記憶装置４０に入力される回路３０において、高周波入力信号及び低周波入力信号の両方の入り混ざった複数の入力信号を、マルチプレクサ３４が順番に走査してフィルタ回路２０へ順次入力すること。」
　
（３）対比
　本願補正発明と引用例１記載の発明とを対比すると、次のことがいえる。
　
（あ）引用例１記載の発明における「リレー入力信号」は「基本周波数ｆ1成分」を有するものであるから、本願補正発明における「ＡＣ入力信号」に相当する。
　
（い）引用例１記載の発明における「Ａ／Ｄ変換器５」、「ホールド」、「サンプル・ホールド回路３」は、それぞれ、本願補正発明における「Ａ／Ｄ変換器」、「保持」、「サンプラー」に相当する。
　
（う）一般的にサンプル・ホールド回路はサンプル周波数でサンプリングするものであるから、引用例１記載の発明における「サンプル・ホールド回路３」もサンプル周波数でサンプリングするものと解される。
　
（え）引用例１記載の発明における「マルチプレクサ４では各リレー入力のホールド信号を時分割で取り込み、この出力列をＡ／Ｄ変換器５によって順次ディジタル信号に変換」することは、本願補正発明における「複数のＡＣ入力信号間でＡ／Ｄ変換器を時分割する」ことに相当する。
　
（お）引用例１記載の発明における「保護演算部１１は、マイクロプロセッサを中枢部としてリレー入力信号を使った保護演算を行い、その入力段にディジタルフィルタ１２を設けてリレー入力信号の基本周波数ｆ1成分のみを抽出し、この信号を保護演算のための入力データにする」ことは、本願補正発明における「複数のＡＣ入力信号の各々からのデジタル信号を分析する」ことに相当する。
　
（か）一般的に保護継電装置は入力信号の状態をモニターするものであるから、引用例１記載の発明における「ディジタル形保護継電装置」は、本願補正発明における「複数のＡＣ入力信号をモニターする」ものに相当する。そして、引用例１記載の発明における「ディジタル形保護継電装置」を実現するための方法は、本願補正発明における「複数のＡＣ入力信号をモニターする方法」に相当する。
　
　よって、本願補正発明と引用例１記載の発明とは、次の点で一致し、また、相違するものと認められる。
　
（一致点）
　本願補正発明と引用例１記載の発明とは、ともに、
「サンプル周波数で複数のＡＣ入力信号をサンプリングするＡ／Ｄ変換器を提供するステップと、
　前記複数のＡＣ入力信号を、サンプル周波数でサンプリングし、前記Ａ／Ｄ変換器用に前記複数のＡＣ入力信号を保持する、サンプラーを提供するステップと、
　前記複数のＡＣ入力信号間で前記Ａ／Ｄ変換器を時分割するステップと、
　前記サンプリングされたＡＣ入力信号の各々を、前記サンプラーを用いて、前記サンプル周波数ごとに保持するステップと、
　前記保持されたＡＣ入力信号の各々を、前記Ａ／Ｄ変換器を用いて、デジタル信号に変換するステップと、
　前記複数のＡＣ入力信号の各々からの前記デジタル信号を分析するステップと、
　を含む複数のＡＣ入力信号をモニターする方法。」
である点。
　
（相違点）
相違点１：本願補正発明においては、「複数のＡＣ入力信号間でサンプラーおよびＡ／Ｄ変換器を時分割する」のに対し、引用例１記載の発明においては、「複数のＡＣ入力信号間でＡ／Ｄ変換器を時分割する」が、サンプラーを時分割しない点。
　
相違点２：本願補正発明においては、「複数のＡＣ入力信号の各々を、サンプラーを用いて、前記ＡＣ入力信号の周波数の整数倍として前記ＡＣ入力信号の周波数と同期するサンプル周波数で前記ＡＣ入力信号の１周期内に繰り返して交互にサンプリングする」のに対し、引用例１記載の発明においては、そのようにしているのか明らかでない点。
　
相違点３：本願補正発明においては、「複数のＡＣ入力信号のうちの２つの間でアンチエイリアシングフィルタを時分割する」のに対し、引用例１記載の発明においては、そのようにしていない点。
　
（４）判断
　そこで、上記相違点１〜３について検討する。
　
（相違点１について）
　一般的に、サンプル・ホールド回路はＡ／Ｄ変換器と一対で用いられるものであるから、引用例１記載の発明において、サンプラー（サンプル・ホールド回路３）をＡ／Ｄ変換器（Ａ／Ｄ変換器５）の直前に配置し、複数のＡＣ入力信号（リレー入力信号）間でサンプラー（サンプル・ホールド回路３）およびＡ／Ｄ変換器（Ａ／Ｄ変換器５）を時分割するようにすることは、当業者が適宜なし得たことにすぎない。
　
（相違点２について）
　引用例２記載の技術は、ＳＨ２５でサンプリングするサンプリング周波数は、通常系統周波数の電気角３０°、すなわち６００Ｈｚ（５０Ｈｚ系），７２０Ｈｚ（６０Ｈｚ系）に選ばれていることから、複数のＡＣ入力信号（電圧電流信号ＰＣＴ入力２１ＩS ）の各々を、サンプラー（ＳＨ２５）を用いて、前記ＡＣ入力信号（電圧電流信号ＰＣＴ入力２１ＩS ）の周波数（通常系統周波数）の整数倍（１２倍（３６０°／３０°＝１２、６００／５０＝１２、７２０／６０＝１２となることから。））として前記ＡＣ入力信号（電圧電流信号ＰＣＴ入力２１ＩS ）の周波数（通常系統周波数）と同期するサンプル周波数（サンプリング周波数）で前記ＡＣ入力信号（電圧電流信号ＰＣＴ入力２１ＩS ）の１周期内に繰り返して（電気角３０°毎に）交互にサンプリングしていると解される。
　そして、引用例１記載の発明と引用例２記載の技術は、ディジタル形保護継電装置という同一の技術分野に属するから、引用例１記載の発明に引用例２記載の技術を適用して、複数のＡＣ入力信号の各々を、サンプラーを用いて、前記ＡＣ入力信号の周波数の整数倍として前記ＡＣ入力信号の周波数と同期するサンプル周波数で前記ＡＣ入力信号の１周期内に繰り返して交互にサンプリングするようにすることは、当業者が適宜実施できたことである。
　
（相違点３について）
　引用例２記載の技術は、フィルタ２４は折り返し周波数以上の高周波成分の除去を主目的としており、フィルタ２４では折り返し周波数より高い周波数成分は完全に無視できる程度まで減衰させ、フィルタ２４を通過した後での入力信号をＳＨ２５でサンプリングしていることから、フィルタ２４はアンチエイリアシングフィルタであると解される。
　一方、引用例３記載の技術は、高周波入力信号及び低周波入力信号の両方の入り混ざった複数の入力信号を、マルチプレクサ３４が順番に走査してフィルタ回路２０へ順次入力することから、複数のＡＣ入力信号のうちの少なくとも２つの間でフィルタを時分割していると解される。
　そして、引用例１記載の発明、引用例２記載の技術、及び引用例３記載の技術は、いずれも、サンプラーによるエイリアシングの発生に対処するという共通の課題を必然的に有しているから、引用例１記載の発明において、引用例２記載の技術及び引用例３記載の技術を適用して、アナログフィルタ２をアンチエイリアシングフィルタとし、複数のＡＣ入力信号のうちの２つの間でアンチエイリアシングフィルタを時分割するようにすることは、当業者が適宜実施できたことである。
　
（本願補正発明の作用効果について）
　そして、本願補正発明の構成によってもたらされる効果も、引用例１記載の発明、引用例２記載の技術、及び引用例３記載の技術から当業者が容易に想到できた構成のものにおいて、当然に有すると当業者が予測することができた程度のものであって、格別のものとはいえない。
　
　したがって、本願補正発明は、引用例１記載の発明、引用例２記載の技術、及び引用例３記載の技術に基いて、当業者が容易に発明をすることができたものであるから、特許法第２９条第２項の規定により、特許出願の際、独立して特許を受けることができないものである。
　
（５）むすび
　よって、本件手続補正は、平成２３年法律第６３号改正附則第２条第１８項によりなお従前の例によるとされる同法による改正前の特許法第１７条の２第６項において準用する同法第１２６条第５項の規定に違反するので、同法第１５９条第１項の規定において読み替えて準用する同法第５３条第１項の規定により却下すべきものである。
　
３．本願発明について
（１）本願発明
　平成２３年３月２３日付けの手続補正は、上記のとおり却下されたので、本願の請求項１０に係る発明は、平成２２年９月２７日付けの手続補正書の特許請求の範囲の請求項１０に記載されたとおりの次のもの（以下、「本願発明」という。）と認める。
「　【請求項１０】
　（ａ）サンプル周波数で複数のＡＣ入力信号をサンプリングするＡ／Ｄ変換器を提供するステップと、
　（ｂ）前記複数のＡＣ入力信号を、サンプル周波数でサンプリングし、前記Ａ／Ｄ変換器用に前記複数のＡＣ入力信号を保持する、サンプラーを提供するステップと、
　（ｃ）前記複数のＡＣ入力信号間で前記サンプラーおよび前記Ａ／Ｄ変換器を時分割するステップと、
　（ｄ）前記複数のＡＣ入力信号の各々を、前記サンプラーを用いて、前記ＡＣ入力信号の周波数の整数倍として前記ＡＣ入力信号の周波数と同期するサンプル周波数で前記ＡＣ入力信号の１周期内に繰り返して交互にサンプリングするステップと、
　（ｅ）前記サンプリングされたＡＣ入力信号の各々を、前記サンプラーを用いて、前記サンプル周波数ごとに保持するステップと、
　（ｆ）前記保持されたＡＣ入力信号の各々を、前記Ａ／Ｄ変換器を用いて、デジタル信号に変換するステップと、
　（ｇ）前記複数のＡＣ入力信号の各々からの前記デジタル信号を分析するステップと、
　を含む複数のＡＣ入力信号をモニターする方法。」
　
（２）引用例
　これに対して、原査定の拒絶の理由に引用された引用例とその記載事項は、上記２．（２）に記載したとおりである。
　
（３）対比・判断
　本願発明は、上記２．（１）で検討した本願補正発明における、「複数のＡＣ入力信号をモニターする方法」に関する「
複数のＡＣ入力信号のうちの２つの間でアンチエイリアシングフィルタを時分割するステップをさらに含
　そうすると、本願発明の構成要件を全て含み、さらに特定の限定を施したものに相当する本願補正発明が、上記２．（４）に記載したとおり、引用例１記載の発明、引用例２記載の技術、及び引用例３記載の技術に基いて、当業者が容易に発明をすることができたものであるから、上記特定の限定を省いた本願発明は、上記特定の限定について引用した引用例３記載の技術を参酌することなく、引用例１記載の発明、及び引用例２記載の技術に基いて、当業者が容易に発明をすることができたものである
　
（４）むすび
　以上のとおり、本願発明は、引用例１記載の発明、及び引用例２記載の技術に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。